(57)【要約】      （修正有）【課題】番組の録画に関する優れた機能を実現する番組受信システム、方法及びプログラムを提供する。【解決手段】視聴録画装置１０１は、ユーザの嗜好に関する嗜好情報を取得する取得部としての音声判定部５０と、複数の番組に関する番組受信装置が受信した情報に基づいて、１または複数の番組を選択する選択部としての録画予約部４６と、選択部によって選択された番組を録画する録画部４５と、録画部によって録画される番組である録画番組の音声情報をテキストデータに変換する音声抽出部４９と、音声抽出部によって変換されたテキストデータおよび取得部によって取得された嗜好情報に基づいて、録画番組を評価する番組評価部としての音声判定部５０を備える。【選択図】図２
2020170955.tif 000002
【特許請求の範囲】
【請求項１】
番組受信システムであって、
ユーザの嗜好に関する嗜好情報を取得する取得部と、
複数の番組に関する前記番組受信システムが受信した情報に基づいて、１または複数の前記番組を選択する選択部と、
前記選択部によって選択された前記番組を録画する録画部と、
前記録画部によって録画される前記番組である録画番組の音声情報をテキストデータに変換する音声抽出部と、
前記音声抽出部によって変換された前記テキストデータ、および前記取得部によって取得された前記嗜好情報に基づいて、前記録画番組を評価する番組評価部とを備える、番組受信システム。
【請求項２】
前記番組評価部は、前記テキストデータを、前記嗜好情報に含まれる１または複数のワードと照合することにより前記録画番組の前記ワードごとのスコアを算出し、算出した各前記スコアに基づいて前記録画番組を評価する、請求項１に記載の番組受信システム。
【請求項３】
前記録画部は、前記録画番組を記憶媒体に保存し、
前記番組受信システムは、さらに、
前記番組評価部の評価結果に従って前記録画番組を前記記憶媒体から消去する消去制御部を備える、請求項１または請求項２に記載の番組受信システム。
【請求項４】
前記番組受信システムは、さらに、
前記録画部が録画中である前記番組の前記番組評価部による評価内容を通知可能な通知部を備える、請求項１から請求項３のいずれか１項に記載の番組受信システム。
【請求項５】
前記音声抽出部は、さらに、視聴された前記番組の音声情報をテキストデータに変換し、
前記番組受信システムは、さらに、
視聴された前記番組の前記テキストデータに基づいて、前記嗜好情報を更新する更新部を備える、請求項１から請求項４のいずれか１項に記載の番組受信システム。
【請求項６】
番組受信システムにおける番組受信方法であって、
ユーザの嗜好に関する嗜好情報を取得するステップと、
複数の番組に関する前記番組受信システムが受信した情報に基づいて、１または複数の前記番組を選択するステップと、
選択した前記番組を録画するステップと、
録画する前記番組である録画番組の音声情報をテキストデータに変換するステップと、
変換した前記テキストデータ、および取得した前記嗜好情報に基づいて、前記録画番組を評価するステップとを含む、番組受信方法。
【請求項７】
番組受信システムにおいて用いられる番組受信プログラムであって、
コンピュータを、
ユーザの嗜好に関する嗜好情報を取得する取得部と、
複数の番組に関する前記番組受信システムが受信した情報に基づいて、１または複数の前記番組を選択する選択部と、
前記選択部によって選択された前記番組を録画する録画部と、
前記録画部によって録画される前記番組である録画番組の音声情報をテキストデータに変換する音声抽出部と、
前記音声抽出部によって変換された前記テキストデータ、および前記取得部によって取得された前記嗜好情報に基づいて、前記録画番組を評価する番組評価部、
として機能させるための、番組受信プログラム。
【発明の詳細な説明】
【技術分野】
【０００１】
本開示は、番組受信システム、番組受信方法および番組受信プログラムに関する。
【背景技術】
【０００２】
従来、放送番組等を録画するための装置が開発されている。たとえば、非特許文献１（”パナソニックのブルーレイ／ＤＶＤレコーダーの特長”、［ｏｎｌｉｎｅ］、［平成３１年３月２０日検索］、インターネット〈ＵＲＬ：ｈｔｔｐ：／／ｐａｎａｓｏｎｉｃ．ｊｐ／ｄｉｇａ／ｆｅａｔｕｒｅ／ｒｅｃ．ｈｔｍｌ〉）には、全番組を自動で録画する機能、およびハードディスク容量の不足を考慮して、自動で録画した番組を消去する機能が開示されている。
【０００３】
また、非特許文献２（”好みの番組を自動で探して録画してほしい（ｘ−おまかせ・まる録）”、［ｏｎｌｉｎｅ］、［平成３１年３月２０日検索］、インターネット〈ＵＲＬ：ｈｔｔｐｓ：／／ｗｗｗ．ｓｏｎｙ．ｊｐ／ｓｕｐｐｏｒｔ／ｂｄ／ｍａｎｕａｌ／２０１２／ｒｅｃ／ｏｍａｋａｓｅ．ｈｔｍｌ〉）には、事前にジャンル、キーワードおよび除外ワードを登録しておくと、条件に合った番組を自動で録画する機能が開示されている。
【０００４】
また、非特許文献３（”予約いらずで、連ドラ自動お撮りおき”、［ｏｎｌｉｎｅ］、［平成３１年３月２０日検索］、インターネット〈ＵＲＬ：ｈｔｔｐｓ：／／ｊｐ．ｓｈａｒｐ／ｂｄ／ｆｅａｔｕｒｅ／ｄｏｒａｍａ／〉）には、新作連続ドラマを４週間分自動で録画する機能が開示されている。
【０００５】
また、番組表で選んだ番組を予約すると、以降は予約したチャンネル、時間帯および番組名等から次回の放送番組を自動検索して予約する、「探して毎回予約」機能も提供されている。
【先行技術文献】
【非特許文献】
【０００６】
【非特許文献１】”パナソニックのブルーレイ／ＤＶＤレコーダーの特長”、［ｏｎｌｉｎｅ］、［平成３１年３月２０日検索］、インターネット〈ＵＲＬ：ｈｔｔｐ：／／ｐａｎａｓｏｎｉｃ．ｊｐ／ｄｉｇａ／ｆｅａｔｕｒｅ／ｒｅｃ．ｈｔｍｌ〉
【非特許文献２】”好みの番組を自動で探して録画してほしい（ｘ−おまかせ・まる録）”、［ｏｎｌｉｎｅ］、［平成３１年３月２０日検索］、インターネット〈ＵＲＬ：ｈｔｔｐｓ：／／ｗｗｗ．ｓｏｎｙ．ｊｐ／ｓｕｐｐｏｒｔ／ｂｄ／ｍａｎｕａｌ／２０１２／ｒｅｃ／ｏｍａｋａｓｅ．ｈｔｍｌ〉
【非特許文献３】”予約いらずで、連ドラ自動お撮りおき”、［ｏｎｌｉｎｅ］、［平成３１年３月２０日検索］、インターネット〈ＵＲＬ：ｈｔｔｐ：／／ｗｗｗ．ｓｈａｒｐ．ｃｏ．ｊｐ／ｂｄ／ｆｅａｔｕｒｅ／ｄｏｒａｍａ／〉
【発明の概要】
【発明が解決しようとする課題】
【０００７】
非特許文献１に記載の技術では、全番組を録画していることから録画番組の数が膨大になってしまい、ユーザが本当に好む番組を見つけることが困難である。
【０００８】
非特許文献２に記載の技術では、ジャンル、キーワードおよび除外ワードといった客観的な情報のみで番組が選択されることから、たとえば、ジャンルおよびキーワードは自分の好みに一致している一方で、その他の要素が著しくユーザの好みに合っていなかったり、品質が低い番組を録画してしまったりする場合があり、ユーザが本当に好む番組を見つけることが困難である。
【０００９】
非特許文献３に記載の技術では、すべての連続ドラマの番組を録画していることから録画番組の数が膨大になってしまい、ユーザが本当に好む番組を見つけることが困難である。
【００１０】
また、「探して毎回予約」では、ユーザは、ある番組の視聴後に当該番組を気に入った場合、装置に登録する必要があり、操作が煩雑となる。また、番組を実際に視聴する前に登録する場合、期待通りの番組でない可能性がある。
【００１１】
この発明は、上述の課題を解決するためになされたもので、その目的は、番組の録画に関する優れた機能を実現することが可能な番組受信システム、番組受信方法および番組受信プログラムを提供することである。
【課題を解決するための手段】
【００１２】
本開示の番組受信システムは、ユーザの嗜好に関する嗜好情報を取得する取得部と、複数の番組に関する前記番組受信システムが受信した情報に基づいて、１または複数の前記番組を選択する選択部と、前記選択部によって選択された前記番組を録画する録画部と、前記録画部によって録画される前記番組である録画番組の音声情報をテキストデータに変換する音声抽出部と、前記音声抽出部によって変換された前記テキストデータ、および前記取得部によって取得された前記嗜好情報に基づいて、前記録画番組を評価する番組評価部とを備える。
【００１３】
本開示の番組受信方法は、番組受信システムにおける番組受信方法であって、ユーザの嗜好に関する嗜好情報を取得するステップと、複数の番組に関する前記番組受信システムが受信した情報に基づいて、１または複数の前記番組を選択するステップと、選択した前記番組を録画するステップと、録画する前記番組である録画番組の音声情報をテキストデータに変換するステップと、変換した前記テキストデータ、および取得した前記嗜好情報に基づいて、前記録画番組を評価するステップとを含む。
【００１４】
本開示の番組受信プログラムは、番組受信システムにおいて用いられる番組受信プログラムであって、コンピュータを、ユーザの嗜好に関する嗜好情報を取得する取得部と、複数の番組に関する前記番組受信システムが受信した情報に基づいて、１または複数の前記番組を選択する選択部と、前記選択部によって選択された前記番組を録画する録画部と、前記録画部によって録画される前記番組である録画番組の音声情報をテキストデータに変換する音声抽出部と、前記音声抽出部によって変換された前記テキストデータ、および前記取得部によって取得された前記嗜好情報に基づいて、前記録画番組を評価する番組評価部、として機能させるためのプログラムである。
【００１５】
本開示の一態様は、番組受信システムの一部または全部を実現する番組受信装置として実現され得る。本開示の一態様は、番組受信システムの一部または全部を実現する半導体集積回路として実現され得る。
【発明の効果】
【００１６】
本開示によれば、番組の録画に関する優れた機能を実現することができる。
【図面の簡単な説明】
【００１７】
【図１】図１は、本開示の実施の形態に係る番組受信装置の構成を示す図である。
【図２】図２は、本開示の実施の形態に係る番組受信装置の詳細な構成を示す図である。
【図３】図３は、本開示の実施の形態に係る番組受信装置における各データベースの内容の一例を示す図である。
【図４】図４は、本開示の実施の形態に係る番組受信装置における嗜好情報ＤＢの内容の一例を示す図である。
【図５】図５は、本開示の実施の形態に係る番組受信装置における放送番組情報ＤＢの内容の一例を示す図である。
【図６】図６は、本開示の実施の形態に係る番組受信装置における放送番組情報ＤＢの出現頻度テーブルの一例を示す図である。
【図７】図７は、本開示の実施の形態に係る番組受信装置における音声判定部によって算出される嗜好スコア値の一例を示す図である。
【図８】図８は、本開示の実施の形態に係る番組受信装置が番組の自動録画を行う際の動作手順を定めたフローチャートである。
【図９】図９は、本開示の実施の形態に係る番組受信装置が自動録画番組の評価を行う際の動作手順を定めたフローチャートである。
【図１０】図１０は、本開示の実施の形態に係る番組受信装置が自動録画番組の評価を行う際の動作手順の一例を定めたフローチャートである。
【図１１】図１１は、本開示の実施の形態に係る番組受信装置が自動録画番組の評価を行う際の動作手順の他の例を定めたフローチャートである。
【図１２】図１２は、本開示の実施の形態に係る番組受信装置が嗜好情報の更新を行う際の動作手順を定めたフローチャートである。
【発明を実施するための形態】
【００１８】
最初に、本開示の実施形態の内容を列記して説明する。
【００１９】
（１）本開示の実施の形態に係る番組受信システムは、ユーザの嗜好に関する嗜好情報を取得する取得部と、複数の番組に関する前記番組受信システムが受信した情報に基づいて、１または複数の前記番組を選択する選択部と、前記選択部によって選択された前記番組を録画する録画部と、前記録画部によって録画される前記番組である録画番組の音声情報をテキストデータに変換する音声抽出部と、前記音声抽出部によって変換された前記テキストデータ、および前記取得部によって取得された前記嗜好情報に基づいて、前記録画番組を評価する番組評価部とを備える。
【００２０】
このように、番組を事前に選択した上で録画しておき、録画中または録画後に、当該番組の実際の音声を用いて、ユーザの嗜好に基づいて当該番組を評価する構成により、ユーザの操作の手間を軽減しながら、精度の高い自動録画を実現することができる。したがって、番組の録画に関する優れた機能を実現することができる。
【００２１】
（２）好ましくは、前記番組評価部は、前記テキストデータを、前記嗜好情報に含まれる１または複数のワードと照合することにより前記録画番組の前記ワードごとのスコアを算出し、算出した各前記スコアに基づいて前記録画番組を評価する。
【００２２】
このような構成により、番組における各ワードの出現状況を総合的に判断したより正確な評価結果を得ることができる。
【００２３】
（３）好ましくは、前記録画部は、前記録画番組を記憶媒体に保存し、前記番組受信システムは、さらに、前記番組評価部の評価結果に従って前記録画番組を前記記憶媒体から消去する消去制御部を備える。
【００２４】
このような構成により、記憶媒体の容量制限がある中で、ある程度の録画の無駄を許容しながら記憶容量を節約し、適切な番組を自動録画することができる。
【００２５】
（４）好ましくは、前記番組受信システムは、さらに、前記録画部が録画中である前記番組の前記番組評価部による評価内容を通知可能な通知部を備える。
【００２６】
このような構成により、ユーザの嗜好に合った番組が放送中であることを当該ユーザが気付いていない状況において、ユーザに通知し、よりリアルタイムに近い視聴環境を提供することができる。
【００２７】
（５）好ましくは、前記音声抽出部は、さらに、視聴された前記番組の音声情報をテキストデータに変換し、前記番組受信システムは、さらに、視聴された前記番組の前記テキストデータに基づいて、前記嗜好情報を更新する更新部を備える。
【００２８】
このような構成により、ユーザが実際に視聴した番組の音声を利用して、よりユーザに適合した嗜好情報を提供することができる。
【００２９】
（６）本開示の実施の形態に係る番組受信方法は、番組受信システムにおける番組受信方法であって、ユーザの嗜好に関する嗜好情報を取得するステップと、複数の番組に関する前記番組受信システムが受信した情報に基づいて、１または複数の前記番組を選択するステップと、選択した前記番組を録画するステップと、録画する前記番組である録画番組の音声情報をテキストデータに変換するステップと、変換した前記テキストデータ、および取得した前記嗜好情報に基づいて、前記録画番組を評価するステップとを含む。
【００３０】
このように、番組を事前に選択した上で録画しておき、録画中または録画後に、当該番組の実際の音声を用いて、ユーザの嗜好に基づいて当該番組を評価する方法により、ユーザの操作の手間を軽減しながら、精度の高い自動録画を実現することができる。したがって、番組の録画に関する優れた機能を実現することができる。
【００３１】
（７）本開示の実施の形態に係る番組受信プログラムは、番組受信システムにおいて用いられる番組受信プログラムであって、コンピュータを、ユーザの嗜好に関する嗜好情報を取得する取得部と、複数の番組に関する前記番組受信システムが受信した情報に基づいて、１または複数の前記番組を選択する選択部と、前記選択部によって選択された前記番組を録画する録画部と、前記録画部によって録画される前記番組である録画番組の音声情報をテキストデータに変換する音声抽出部と、前記音声抽出部によって変換された前記テキストデータ、および前記取得部によって取得された前記嗜好情報に基づいて、前記録画番組を評価する番組評価部、として機能させるためのプログラムである。
【００３２】
このように、番組を事前に選択した上で録画しておき、録画中または録画後に、当該番組の実際の音声を用いて、ユーザの嗜好に基づいて当該番組を評価する構成により、ユーザの操作の手間を軽減しながら、精度の高い自動録画を実現することができる。したがって、番組の録画に関する優れた機能を実現することができる。
【００３３】
以下、本開示の実施の形態について図面を用いて説明する。なお、図中同一または相当部分には同一符号を付してその説明は繰り返さない。また、以下に記載する実施の形態の少なくとも一部を任意に組み合わせてもよい。
【００３４】
［構成および基本動作］
図１は、本開示の実施の形態に係る番組受信装置の構成を示す図である。
【００３５】
図１を参照して、番組受信装置１０１は、たとえばＳＴＢ（Ｓｅｔ  Ｔｏｐ  Ｂｏｘ）であり、デジタル放送によるコンテンツ、およびＶＯＤ（Ｖｉｄｅｏ  Ｏｎ  Ｄｅｍａｎｄ）等のＩＰ放送によるコンテンツを受信し、受信したコンテンツの録画および再生を行うことが可能である。本開示の実施の形態に係る番組受信システムは、番組受信装置１０１により構成される。
【００３６】
番組受信装置１０１は、たとえば、コンテンツが複数のパケットに分割されたストリームを受信し、表示装置においてコンテンツを再生する。
【００３７】
より詳細には、番組受信装置１０１は、受信部１１と、処理部１２と、記憶部１３とを備える。
【００３８】
受信部１１は、アンテナ経由、またはインターネット等のネットワーク経由でストリームを取得する。より詳細には、受信部１１は、ストリームを構成する放送パケットの受信処理を行い、処理部１２へ出力する。
【００３９】
ストリームは、たとえば、音声情報、映像情報、ＥＰＧ（Ｅｌｅｃｔｒｏｎｉｃ  Ｐｒｏｇｒａｍ  Ｇｕｉｄｅ）情報、字幕情報およびＳＩ情報（Ｓｅｒｖｉｃｅ  Ｉｎｆｏｒｍａｔｉｏｎ）等を含む。
【００４０】
処理部１２は、受信部１１から受けた放送パケットを記憶部１３に保存する。また、処理部１２は、コンテンツを出力する処理を行う。より詳細には、処理部１２は、たとえば、記憶部１３に保存した情報等を用いてコンテンツを再生する処理を行い、得られた映像情報および音声情報等を表示装置へ送信する。
【００４１】
図２は、本開示の実施の形態に係る番組受信装置の詳細な構成を示す図である。
【００４２】
図２を参照して、番組受信装置１０１は、リモコン信号受信部４１と、ＲＦ放送受信部４２と、ＩＰ放送受信部４３と、消去部４４と、録画部４５と、録画予約部４６と、放送視聴部４７と、録画再生部４８と、音声抽出部４９と、音声判定部５０とを備える。また、番組受信装置１０１は、記憶媒体の一例であるＨＤＤ（Ｈａｒｄ  Ｄｉｓｋ  Ｄｒｉｖｅ）１８１を備える。
【００４３】
リモコン信号受信部４１、ＲＦ放送受信部４２およびＩＰ放送受信部４３は、図１に示す受信部１１に含まれる。消去部４４、録画部４５、録画予約部４６、放送視聴部４７、録画再生部４８、音声抽出部４９および音声判定部５０は、図１に示す処理部１２に含まれる。
【００４４】
録画ＤＢ５１、番組情報ＤＢ５２、予約管理ＤＢ５３、嗜好情報ＤＢ５４および放送番組情報ＤＢ５５は、図１に示す記憶部１３に保存されている。
【００４５】
図３は、本開示の実施の形態に係る番組受信装置における各データベースの内容の一例を示す図である。
【００４６】
図３を参照して、番組受信装置１０１は、録画番組のデータベースである録画ＤＢ５１、放送番組のデータベースである番組情報ＤＢ５２、予約番組のデータベースである予約管理ＤＢ５３、ユーザの嗜好に関する嗜好情報のデータベースである嗜好情報ＤＢ５４、および番組におけるキーワードごとの出現頻度のデータベースである放送番組情報ＤＢ５５を有する。
【００４７】
具体的には、録画ＤＢ５１には、各番組の、コンテンツファイル名、番組タイトル、ジャンル、開始時間、終了時間、コンテンツ長および保護フラグが登録される。保護フラグは、ユーザが当該番組の自動消去を望まない場合にオンされるフラグである。
【００４８】
番組情報ＤＢ５２には、番組情報として、ＲＦ放送受信部４２またはＩＰ放送受信部４３によってストリームから取得されたイベント情報テーブル（ＥＩＴ）、およびＥＩＴなどを用いて作成されるＥＰＧに基づく番組表が登録される。ＲＦ放送受信部４２またはＩＰ放送受信部４３によってＥＩＴが定期的に取得されることにより、番組情報ＤＢ５２は定期的に更新される。
【００４９】
予約管理ＤＢ５３には、各番組の、番組タイトル、番組開始時間、番組終了時間、視聴開始時間、累積視聴時間、および自動／ユーザ指定フラグが登録される。なお、予約管理ＤＢ５３には、各番組の、チャンネル識別情報がさらに登録されてもよい。
【００５０】
自動／ユーザ指定フラグは、当該番組が録画予約部４６によって自動的に登録されたか、ユーザによって手動で登録されたかを示し、たとえば、録画予約部４６によって自動で登録された場合にオンされるフラグである。ユーザは、同時録画数の制限から新たな番組の録画予約ができない場合において、自動／ユーザ指定フラグを参照することにより、自動で予約された番組の録画をキャンセルすることができる。
【００５１】
嗜好情報ＤＢ５４には、嗜好情報として、たとえば、ユーザの好みの番組のジャンルを示す積極ジャンル、ユーザの好みの番組において音声による出現頻度が高い積極キーワード、ユーザの好みでない番組のジャンルを示す消極ジャンル、およびユーザの好みでない番組において音声による出現頻度が高い消極キーワードが登録される。
【００５２】
図４は、本開示の実施の形態に係る番組受信装置における嗜好情報ＤＢの内容の一例を示す図である。
【００５３】
嗜好情報ＤＢ５４は、たとえば、番組のジャンルごとのユーザの嗜好に関する情報のデータベースである。具体的には、図４を参照して、たとえば、嗜好情報ＤＢ５４には、番組のジャンルごとの積極キーワードおよび消極キーワードを示す嗜好ワード情報Ａ，Ｂ，Ｃが登録される。
【００５４】
図４に示す例では、嗜好ワード情報Ａには、アニメのジャンルに属する番組における積極キーワードおよび消極キーワードが登録されており、嗜好ワード情報Ｂには、恋愛のジャンルに属する番組における積極キーワードおよび消極キーワードが登録されており、嗜好ワード情報Ｃには、ニュースのジャンルに属する番組における積極キーワードおよび消極キーワードが登録されている。
【００５５】
再び図３を参照して、放送番組情報ＤＢ５５には、キーワードごとの、番組における音声による単位時間あたりの平均出現回数が登録される。単位時間は、たとえば１時間である。以下、番組における音声による単位時間あたりの平均出現回数を単に「平均出現回数」と称する場合がある。
【００５６】
図５は、本開示の実施の形態に係る番組受信装置における放送番組情報ＤＢの内容の一例を示す図である。
【００５７】
図５を参照して、放送番組情報ＤＢ５５には、複数のキーワードの平均出現回数を示す出願頻度テーブルが、番組のジャンルごとに登録される。
【００５８】
より詳細には、放送番組情報ＤＢ５５には、ニュース／報道、スポーツおよび福祉などの大分類をさらに細かく分類した小分類ごとに、出願頻度テーブルが登録される。
【００５９】
たとえば、放送番組情報ＤＢ５５における大分類および小分類は、ＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ）  ＳＴＤ−Ｂ１０の付録Ｈに従った分類である。
【００６０】
図６は、本開示の実施の形態に係る番組受信装置における放送番組情報ＤＢの出現頻度テーブルの一例を示す図である。図６に示す出現頻度テーブルは、「スポーツ」の大分類における「競馬・公営競技」の小分類に登録される出現頻度テーブルの一例である。
【００６１】
図６に示す出現頻度テーブルは、「スポーツ」の大分類における「競馬・公営競技」の小分類に属する番組において、たとえば、「デムーロ」のキーワードが、音声により、単位時間あたりに平均で５．８回出現することを示している。
【００６２】
たとえば、放送番組情報ＤＢにおける出現頻度テーブルは、実際に放送された番組における、各キーワードの音声による単位時間あたりの平均出現回数を元に生成される。出現頻度テーブルは、定期的に更新され得る。
【００６３】
再び図２を参照して、ＲＦ放送受信部４２は、アンテナ経由でストリームを受信する、すなわちストリームを構成する放送パケットを取得し、記憶部１３に保存する。
【００６４】
ＩＰ放送受信部４３は、ネットワーク経由でストリームを受信する、すなわちストリームを構成する放送パケットを取得し、記憶部１３に保存する。
【００６５】
リモコン信号受信部４１は、リモコン１６１におけるリモコン操作部６１からリモコン信号を受信し、受信したリモコン信号に含まれる、ユーザの操作を示す操作情報を消去部４４、録画部４５、録画予約部４６、放送視聴部４７および録画再生部４８へ出力する。
【００６６】
録画予約部４６は、リモコン信号受信部４１から受けた操作情報に従い、番組情報ＤＢ５２に登録されている番組表を参照し、操作情報の示す番組に関する情報を予約管理ＤＢ５３に登録する。
【００６７】
録画予約部４６は、予約管理ＤＢ５３を参照し、当該番組の開始時間に従って録画部４５へ録画指示を出力することにより、当該番組を録画する。
【００６８】
また、録画予約部４６は、選択部として、複数の番組に関する番組受信装置１０１が受信した情報に基づいて、１または複数の番組を選択する。
【００６９】
より詳細には、録画予約部４６は、番組情報たとえばＥＩＴを番組情報ＤＢ５２から取得する。また、録画予約部４６は、ユーザの嗜好に関する嗜好情報たとえば積極ジャンルおよび積極キーワードを嗜好情報ＤＢ５４から取得する。
【００７０】
そして、録画予約部４６は、ＥＩＴが示す番組内容、積極ジャンルおよび積極キーワードに基づいて、放送予定の番組の中にユーザの好みの番組があるか否かを確認する。
【００７１】
たとえば、録画予約部４６は、ＥＩＴにおける番組ジャンル記述子が示す番組のジャンルが積極ジャンルと一致し、かつ、ＥＩＴが示す番組内容のテキストデータに積極キーワードが所定数以上含まれる１または複数の番組が存在する場合、当該番組をユーザの好みの番組であると判断し、当該番組を自動録画すべき番組として選択する。
【００７２】
録画予約部４６は、選択した自動録画すべき番組に関する情報を予約管理ＤＢ５３に登録する。
【００７３】
録画予約部４６は、予約管理ＤＢ５３を参照し、自動／ユーザ指定フラグがオンである番組の開始時間に従って録画部４５へ自動録画指示を出力することにより、当該番組を自動録画する。
【００７４】
録画予約部４６は、自動録画指示を録画部４５へ出力する場合、さらに、当該番組のジャンルを示すジャンル情報を録画部４５へ出力する。
【００７５】
録画部４５は、リモコン信号受信部４１から受けた操作情報に従い、操作情報の示す番組を録画する。また、録画部４５は、録画予約部４６によって選択された番組を録画する。
【００７６】
たとえば、録画部４５は、自己が録画する番組である録画番組をＨＤＤ１８１に保存する。
【００７７】
より詳細には、録画部４５は、リモコン信号受信部４１から受けた操作情報、録画予約部４６から受けた録画指示、または録画予約部４６から受けた自動録画指示に従ってＲＦ放送受信部４２またはＩＰ放送受信部４３を制御することにより、操作情報、録画指示または自動録画指示の示す番組に対応する放送パケットを取得し、コンテンツファイルとしてＨＤＤ１８１に保存するとともに、当該番組に関する録画情報を録画ＤＢ５１に登録する。
【００７８】
たとえば、ＨＤＤ１８１には、録画番組の一時録画フラグが登録される。一時録画フラグは、録画部４５が録画予約部４６から受けた自動録画指示に従って番組を自動録画する場合であって、かつ音声判定部５０による当該番組の評価が未完了の場合にオンされるフラグである。
【００７９】
録画部４５は、自動録画する番組に対応する放送パケットをＨＤＤ１８１に保存する処理と並行して、当該放送パケットおよび当該番組のジャンルを示すジャンル情報を音声抽出部４９へ出力する。
【００８０】
放送視聴部４７は、放送番組を再生する。より詳細には、放送視聴部４７は、リモコン信号受信部４１から受けた操作情報に従ってＲＦ放送受信部４２またはＩＰ放送受信部４３を制御することにより、操作情報の示す番組に対応する放送パケットを取得し、取得した放送パケットに含まれる情報等を用いてコンテンツを再生する処理を行い、得られた映像情報および音声情報等を表示装置へ送信する。
【００８１】
また、放送視聴部４７は、たとえばユーザが放送番組を所定時間視聴すると、取得した放送パケットを音声抽出部４９へ出力する。
【００８２】
録画再生部４８は、録画番組を再生する。より詳細には、録画再生部４８は、リモコン信号受信部４１から受けた操作情報に従い、ＨＤＤ１８１から操作情報の示す番組に対応する放送パケットを取得する。そして、録画再生部４８は、取得した放送パケットに含まれる情報等を用いてコンテンツを再生する処理を行い、得られた映像情報および音声情報等を表示装置へ送信する。
【００８３】
また、録画再生部４８は、たとえばユーザが録画番組を所定時間視聴すると、取得した放送パケットを音声抽出部４９へ出力する。
【００８４】
消去部４４は、リモコン信号受信部４１から受けた操作情報に従い、操作情報の示す番組に対応する放送パケットをＨＤＤ１８１から消去するとともに、当該番組に関する録画情報を録画ＤＢ５１から消去する。
【００８５】
音声抽出部４９は、録画部４５によって自動録画される番組である自動録画番組の音声情報をテキストデータに変換する。たとえば、音声抽出部４９は、自動録画番組の音声情報のうちＣＭ（Ｃｏｍｍｅｒｃｉａｌ  Ｍｅｓｓａｇｅ）期間を除く期間の音声情報を、テキストデータに変換する。
【００８６】
より詳細には、音声抽出部４９は、録画部４５が自動録画番組を録画する処理と並行して、録画部４５から受けた放送パケットに含まれる音声データを復号化する処理を行うことにより、復号化された音声データたとえばＰＣＭ（Ｐｕｌｓｅ  Ｃｏｄｅ  Ｍｏｄｕｌａｔｉｏｎ）データを生成する。
【００８７】
そして、音声抽出部４９は、生成したＰＣＭデータを解析することにより、上記自動録画番組の音声情報をテキストデータに変換する。
【００８８】
たとえば、音声抽出部４９は、機械学習によって生成された学習モデルを用いて、ＰＣＭデータからテキストデータを生成する。
【００８９】
あるいは、音声抽出部４９は、ＰＣＭデータから音素を特定する。音声抽出部４９は、特定した音素の並びを、予め登録された辞書とマッチングすることにより単語に変換し、変換した単語を繋ぎ合わせたテキストデータを生成する。
【００９０】
音声抽出部４９は、生成したテキストデータおよび録画部４５から受けた自動録画番組のジャンル情報を含む録画テキスト情報を生成し、生成した録画テキスト情報を音声判定部５０へ出力する。
【００９１】
また、音声抽出部４９は、視聴された番組の音声情報をテキストデータに変換する。
【００９２】
たとえば、音声抽出部４９は、放送視聴部４７によって再生される放送番組の音声情報、および録画再生部４８によって再生される録画番組の音声情報をテキストデータに変換する。以下、放送視聴部４７によって再生される放送番組および録画再生部４８によって再生される録画番組の各々を視聴番組とも称する。
【００９３】
より詳細には、音声抽出部４９は、放送視聴部４７または録画再生部４８から受けた放送パケットに含まれる音声データを復号化する処理を行うことにより、復号化された音声データたとえばＰＣＭデータを生成する。
【００９４】
そして、音声抽出部４９は、生成したＰＣＭデータを解析することにより、視聴番組の音声情報をテキストデータに変換する。音声抽出部４９は、変換したテキストデータおよび視聴番組のジャンル情報を含む視聴テキスト情報を生成し、生成した視聴テキスト情報を音声判定部５０へ出力する。
【００９５】
音声判定部５０は、取得部として、ユーザの嗜好に関する嗜好情報を取得する。
【００９６】
より詳細には、音声判定部５０は、嗜好情報ＤＢ５４から嗜好情報を取得する。具体的には、音声判定部５０は、嗜好情報として、たとえば積極キーワードおよび消極キーワードを嗜好情報ＤＢ５４から取得する。
【００９７】
音声判定部５０は、番組評価部として、音声抽出部４９によって変換されたテキストデータ、および自己が取得した嗜好情報に基づいて、自動録画番組を評価する。
【００９８】
より詳細には、音声判定部５０は、録画部４５が自動録画番組を録画する処理と並行して、音声抽出部４９によって自動録画番組の音声情報から得られたテキストデータ、および嗜好情報に基づいて、自動録画中の当該自動録画番組を評価する。
【００９９】
たとえば、音声判定部５０は、音声抽出部４９から受けた録画テキスト情報に含まれるテキストデータを、嗜好情報に含まれる１または複数のワードと照合することにより自動録画番組のワードごとのスコアを算出し、算出した各スコアに基づいて自動録画番組を評価する。
【０１００】
より詳細には、音声判定部５０は、テキストデータを、嗜好情報ＤＢ５４から取得した複数の積極キーワードおよび複数の消極キーワードと照合することにより、テキストデータにおける、各積極キーワードの単位時間あたりの出現回数および各消極キーワードの単位時間あたりの出現回数を算出する。
【０１０１】
また、音声判定部５０は、放送番組情報ＤＢ５５から、音声抽出部４９から受けた録画テキスト情報に含まれるジャンル情報が示すジャンルにおける出現頻度テーブルを取得する。
【０１０２】
そして、音声判定部５０は、テキストデータにおける各積極キーワードの単位時間あたりの出現回数を、出現頻度テーブルにおける対応の積極キーワードの平均出現回数で除した各値の総和を、積極スコア値として算出する。また、音声判定部５０は、テキストデータにおける各消極キーワードの単位時間あたりの出現回数を、出現頻度テーブルにおける対応の消極キーワードの平均出現回数で除した各値の総和を、消極スコア値として算出する。
【０１０３】
音声判定部５０は、嗜好情報ＤＢ５４から取得した積極キーワードおよび消極キーワードのうち、出現頻度テーブルに含まれないキーワードがある場合、当該積極キーワードの平均出現回数または当該消極キーワードの平均出現回数を１として、積極スコア値または消極スコア値を算出する。
【０１０４】
音声判定部５０は、積極スコア値と消極スコア値にマイナス１を掛けた値との和を、嗜好スコア値として算出する。
【０１０５】
音声判定部５０は、算出した嗜好スコア値に基づいて、自動録画番組を評価する。たとえば、音声判定部５０は、算出した嗜好スコア値と所定のしきい値とを比較し、嗜好スコア値がしきい値以上である場合、自動録画番組はユーザの好みの番組であると判断する一方、嗜好スコア値がしきい値未満である場合、自動録画番組はユーザの好みの番組ではないと判断する。
【０１０６】
たとえば、音声判定部５０は、嗜好情報として、図４に示す嗜好ワード情報Ａ，Ｂ，Ｃを取得し、音声抽出部４９から受けた録画テキスト情報に含まれるテキストデータを、嗜好ワード情報Ａ，Ｂ，Ｃに含まれる１または複数のワードと照合することにより、嗜好ワード情報ごとの嗜好スコア値を算出してもよい。
【０１０７】
図７は、本開示の実施の形態に係る番組受信装置における音声判定部によって算出される嗜好スコア値の一例を示す図である。
【０１０８】
図７を参照して、たとえば、音声判定部５０は、自動録画番組Ａについて、嗜好ワード情報Ａにおける積極キーワードおよび消極キーワードを用いた場合の嗜好スコア値として「１０」を算出し、嗜好ワード情報Ｂにおける積極キーワードおよび消極キーワードを用いた場合の嗜好スコア値として「８」を算出し、嗜好ワード情報Ｃにおける積極キーワードおよび消極キーワードを用いた場合の嗜好スコア値として「０」を算出する。
【０１０９】
音声判定部５０は、算出した各嗜好スコア値に基づいて、自動録画番組を評価する。このようにして算出される嗜好スコア値を用いて自動録画番組を評価することにより、ユーザのジャンルごとの好みを反映した評価を行うことが可能となる。
【０１１０】
なお、音声判定部５０は、嗜好スコア値に基づいて自動録画番組を評価する構成に限定されるものではない。
【０１１１】
たとえば、音声判定部５０は、テキストデータを複数の積極キーワードおよび複数の消極キーワードと照合した結果、テキストデータにおける各消極キーワードの単位時間あたりの出現回数がゼロであり、かつ、テキストデータにおける各積極キーワードの単位時間あたりの出現回数の総和が所定値以上である場合、自動録画番組はユーザの好みの番組であると判断する構成であってもよい。
【０１１２】
また、音声判定部５０は、テキストデータを複数の積極キーワードおよび複数の消極キーワードと照合した結果、テキストデータにおいて消極キーワードが出現する場合、または、テキストデータにおける各積極キーワードの単位時間あたりの出現回数の総和が所定値未満である場合、自動録画番組はユーザの好みの番組ではないと判断する構成であってもよい。
【０１１３】
たとえば、音声判定部５０は、通知部として、録画部４５が録画中である自動録画番組の評価内容を通知可能である。
【０１１４】
具体的には、音声判定部５０は、録画部４５が録画中である自動録画番組を評価した結果、当該自動録画番組がユーザの好みの番組であると判断した場合、ユーザの好みの番組が放送中である旨および嗜好スコア値を、たとえば表示装置における表示または音声出力によってユーザへ通知する。
【０１１５】
また、たとえば、音声判定部５０は、自動録画番組の開始時刻を基準として、積極キーワードおよび消極キーワードの出現時刻を検出し、検出した出現時刻などの情報をユーザへ通知する。
【０１１６】
また、音声判定部５０は、嗜好スコア値がしきい値以上である場合、自動録画番組のフラグ変更指示を録画部４５へ出力する。
【０１１７】
録画部４５は、音声判定部５０から受けたフラグ変更指示に従い、ＨＤＤ１８１における、フラグ変更指示の示す自動録画番組の一時録画フラグをオフに設定する。また、録画部４５は、自動録画番組の自動録画を継続する。
【０１１８】
音声判定部５０は、嗜好スコア値がしきい値未満である場合、自動録画番組の録画停止指示を録画部４５へ出力し、また、自動録画番組の消去指示を消去部４４へ出力する。
【０１１９】
録画部４５は、音声判定部５０から受けた録画停止指示に従い、録画停止指示の示す自動録画番組の自動録画を停止する。
【０１２０】
消去部４４は、消去制御部として、音声判定部５０の評価結果に従って自動録画番組をＨＤＤ１８１から消去する。
【０１２１】
より詳細には、消去部４４は、音声判定部５０から消去指示を受けると、受けた消去指示の示す自動録画番組に対応する放送パケットをＨＤＤ１８１から消去するとともに、当該自動録画番組に関する録画情報を録画ＤＢ５１から消去する。
【０１２２】
なお、消去部４４は、音声判定部５０から消去指示を受けてすぐに上記放送パケットの消去などを行う構成に限らず、所定期間経過後たとえば１週間経過後に、受けた消去指示の示す自動録画番組に対応する放送パケットをＨＤＤ１８１から消去するとともに、当該自動録画番組に関する録画情報を録画ＤＢ５１から消去する構成であってもよい。
【０１２３】
たとえば、音声判定部５０は、更新部として、視聴された番組のテキストデータに基づいて、嗜好情報を更新する。
【０１２４】
より詳細には、音声判定部５０は、音声抽出部４９から受けた視聴テキスト情報に含まれるテキストデータに基づいて、嗜好情報ＤＢ５４を更新する。
【０１２５】
音声判定部５０は、音声抽出部４９から受けた視聴テキスト情報に含まれるテキストデータにおいて、出現頻度の高い１または複数のキーワードを検出する。以下、音声判定部５０が検出した、視聴テキスト情報に含まれるテキストデータにおいて出現頻度の高い１または複数のキーワードの各々を、検出キーワードとも称する。
【０１２６】
そして、音声判定部５０は、視聴テキスト情報に含まれるジャンル情報および検出キーワードに基づいて嗜好情報ＤＢ５４を更新することの可否をユーザに問い合わせる。
【０１２７】
たとえば、音声判定部５０は、上記ジャンルおよび上記検出キーワードを嗜好情報ＤＢに追加する旨を示すダイアログボックスを表示装置に表示する処理を行い、ユーザの追加意思を確認する。
【０１２８】
音声判定部５０は、ユーザの追加意思が肯定的である場合、当該ジャンルを積極ジャンルとして嗜好情報ＤＢ５４に追加し、当該検出キーワードを積極キーワードとして嗜好情報ＤＢ５４に追加する処理を行う。
【０１２９】
［動作の流れ］
番組受信装置１０１は、メモリを含むコンピュータを備え、当該コンピュータにおけるＣＰＵ等の演算処理部は、以下のフローチャートの各ステップの一部または全部を含むプログラムを当該メモリから読み出して実行する。このプログラムは、外部からインストールすることができる。このプログラムは、記録媒体に格納された状態で流通する。
【０１３０】
図８は、本開示の実施の形態に係る番組受信装置が番組の自動録画を行う際の動作手順を定めたフローチャートである。
【０１３１】
図８を参照して、まず、処理部１２は、番組情報ＤＢ５２の更新を待ち受け（ステップＳ１１でＮＯ）、番組情報ＤＢ５２が更新されると（ステップＳ１１でＹＥＳ）、嗜好情報たとえば積極ジャンルおよび積極キーワードが嗜好情報ＤＢ５４に登録済であるか否かを確認する（ステップＳ１２）。
【０１３２】
処理部１２は、嗜好情報が嗜好情報ＤＢ５４に登録済でない場合、嗜好情報の嗜好情報ＤＢへの登録を待ち受ける（ステップＳ１２でＮＯ）。
【０１３３】
一方、処理部１２は、嗜好情報が嗜好情報ＤＢ５４に登録済である場合（ステップＳ１２でＹＥＳ）、嗜好情報を嗜好情報ＤＢ５４から取得する（ステップＳ１３）
【０１３４】
次に、処理部１２は、複数の番組に関する番組受信装置１０１が受信した情報たとえば番組情報ＤＢ５２における放送番組の情報、および嗜好情報ＤＢ５４における嗜好情報に基づいて、放送予定の番組の中にユーザの好みの番組が存在するか否かを確認する（ステップＳ１４）。
【０１３５】
処理部１２は、放送予定の番組の中にユーザの好みの番組が存在しないと判断した場合（ステップＳ１４でＮＯ）、番組情報ＤＢ５２の次回の更新を待ち受ける（ステップＳ１１でＮＯ）。
【０１３６】
一方、処理部１２は、放送予定の番組の中にユーザの好みの番組が存在すると判断した場合（ステップＳ１４でＹＥＳ）、当該番組を自動録画すべき番組として選択し、選択した番組に関する情報を予約管理ＤＢ５３に登録する（ステップＳ１５）。
【０１３７】
次に、処理部１２は、予約管理ＤＢ５３を参照し、選択した番組を自動録画する（ステップＳ１６）。
【０１３８】
次に、処理部１２は、番組情報ＤＢ５２の次回の更新を待ち受ける（ステップＳ１１でＮＯ）。
【０１３９】
図９は、本開示の実施の形態に係る番組受信装置が自動録画番組の評価を行う際の動作手順を定めたフローチャートである。
【０１４０】
図９を参照して、まず、処理部１２は、自動録画を開始する（ステップＳ２１）。
【０１４１】
次に、処理部１２は、自動録画番組の音声情報をテキストデータに変換する（ステップＳ２２）。
【０１４２】
次に、処理部１２は、嗜好情報たとえば積極キーワードおよび消極キーワードを嗜好情報ＤＢ５４から取得する（ステップＳ２３）。
【０１４３】
次に、処理部１２は、テキストデータおよび嗜好情報に基づいて、自動録画番組を評価する（ステップＳ２４）。
【０１４４】
次に、処理部１２は、評価の結果、自動録画番組はユーザの好みの番組であると判断した場合（ステップＳ２５でＹＥＳ）、自動録画を継続する（ステップＳ２６）。
【０１４５】
一方、処理部１２は、評価の結果、自動録画番組はユーザの好みの番組ではないと判断した場合（ステップＳ２５でＮＯ）、自動録画を停止する（ステップＳ２７）。
【０１４６】
次に、処理部１２は、自動録画番組に対応する放送パケットをＨＤＤ１８１から消去するとともに、当該自動録画番組に関する録画情報を録画ＤＢ５１から消去する（ステップＳ２８）。
【０１４７】
なお、上記ステップＳ２１，Ｓ２２とＳ２３との順番は、上記に限らず、順番を入れ替えてもよい。
【０１４８】
図１０は、本開示の実施の形態に係る番組受信装置が自動録画番組の評価を行う際の動作手順の一例を定めたフローチャートである。図１０は、図９におけるステップＳ２４の詳細を示している。
【０１４９】
図１０を参照して、まず、処理部１２は、自動録画番組のジャンルにおける出現頻度テーブルを放送番組情報ＤＢ５５から取得する（ステップＳ３１）。
【０１５０】
次に、処理部１２は、テキストデータにおける各消極キーワードの単位時間あたりの出現回数を、出現頻度テーブルにおける対応の消極キーワードの平均出現回数で除した各値の総和を、消極スコア値として算出する（ステップＳ３２）。
【０１５１】
次に、処理部１２は、テキストデータにおける各積極キーワードの単位時間あたりの出現回数を、出現頻度テーブルにおける対応の積極キーワードの平均出現回数で除した各値の総和を、積極スコア値として算出する（ステップＳ３３）。
【０１５２】
次に、処理部１２は、積極スコア値と消極スコア値にマイナス１を掛けた値との和を、嗜好スコア値として算出する（ステップＳ３４）。
【０１５３】
次に、処理部１２は、嗜好スコア値が所定のしきい値以上である場合（ステップＳ３５でＹＥＳ）、自動録画番組はユーザの好みの番組であると判断する（ステップＳ３６）。
【０１５４】
一方、処理部１２は、嗜好スコア値が所定のしきい値未満である場合（ステップＳ３５でＮＯ）、自動録画番組はユーザの好みの番組ではないと判断する（ステップＳ３７）。
【０１５５】
なお、上記ステップＳ３２とＳ３３との順番は、上記に限らず、順番を入れ替えてもよい。
【０１５６】
図１１は、本開示の実施の形態に係る番組受信装置が自動録画番組の評価を行う際の動作手順の他の例を定めたフローチャートである。図１１は、図９におけるステップＳ２４の詳細を示している。
【０１５７】
図１１を参照して、まず、処理部１２は、テキストデータを複数の消極キーワードと照合した結果、テキストデータにおいて消極キーワードが出現する場合（ステップＳ４１でＮＯ）、自動録画番組はユーザの好みの番組ではないと判断する（ステップＳ４４）。
【０１５８】
一方、処理部１２は、テキストデータを複数の消極キーワードと照合した結果、各消極キーワードの単位時間あたりの出現回数がゼロであり（ステップＳ４１でＹＥＳ）、かつ、テキストデータを複数の積極キーワードと照合した結果、テキストデータにおける各積極キーワードの単位時間あたりの出現回数の総和が所定値以上である場合（ステップＳ４２でＹＥＳ）、自動録画番組はユーザの好みの番組であると判断する（ステップＳ４３）。
【０１５９】
一方、処理部１２は、テキストデータを複数の消極キーワードと照合した結果、各消極キーワードの単位時間あたりの出現回数がゼロであり（ステップＳ４１でＹＥＳ）、かつ、テキストデータを複数の積極キーワードと照合した結果、テキストデータにおける各積極キーワードの単位時間あたりの出現回数の総和が所定値未満である場合（ステップＳ４２でＮＯ）、自動録画番組はユーザの好みの番組ではないと判断する（ステップＳ４４）。
【０１６０】
図１２は、本開示の実施の形態に係る番組受信装置が嗜好情報の更新を行う際の動作手順を定めたフローチャートである。
【０１６１】
図１２を参照して、まず、処理部１２は、録画番組または放送番組を再生する（ステップＳ５１）。
【０１６２】
次に、処理部１２は、再生する放送番組または再生する録画番組、すなわち視聴番組の音声情報をテキストデータに変換する（ステップＳ５２）。
【０１６３】
次に、処理部１２は、テキストデータにおいて、出現頻度の高い１または複数のキーワードを検出する（ステップＳ５３）。
【０１６４】
次に、処理部１２は、嗜好情報の更新の可否をユーザに問い合わせる。具体的には、処理部１２は、たとえば視聴番組のジャンルおよび検出したキーワードを嗜好情報ＤＢに追加する旨を示すダイアログボックスを表示装置に表示する処理を行い、ユーザの更新意思を確認する（ステップＳ５４）。
【０１６５】
次に、処理部１２は、ユーザの更新意思が否定的である場合（ステップＳ５５でＮＯ）、嗜好情報ＤＢにおける嗜好情報を更新しない。
【０１６６】
一方、処理部１２は、ユーザの更新意思が肯定的である場合（ステップＳ５５でＹＥＳ）、視聴番組のジャンルを積極ジャンルとして嗜好情報ＤＢ５４に追加し、検出したキーワードを積極キーワードとして嗜好情報ＤＢ５４に追加することにより、嗜好情報を更新する（ステップＳ５６）。
【０１６７】
なお、本開示の実施の形態に係る番組受信システムは、番組受信装置１０１により構成されるとしたが、これに限定するものではない。番組受信システムは、番組受信装置１０１と、番組受信装置１０１以外の構成要素とを備える構成であってもよい。たとえば、音声抽出部４９および音声判定部５０の少なくともいずれか一方のユニットが、番組受信装置１０１の外部たとえばサーバに設けられてもよい。この場合、番組受信システムは、番組受信装置１０１と、サーバに設けられた上記ユニットとを備える構成であってもよい。また、この場合、番組受信装置１０１は、サーバにおける上記ユニットと通信を行う通信部を備える。当該通信部は、上記ユニットとの間で放送パケット、および自動録画番組の評価結果を示す評価情報などの伝送を行う。
【０１６８】
また、本開示の実施の形態に係る番組受信装置１０１は、デジタル放送およびＩＰ放送を受信する構成であるとしたが、これに限定するものではない。番組受信装置１０１は、デジタル放送およびＩＰ放送のいずれか一方を受信する構成であってもよいし、デジタル放送およびＩＰ放送の少なくともいずれか一方に加えて、あるいはデジタル放送およびＩＰ放送の代わりに、他の種類の放送を受信する構成であってもよい。
【０１６９】
また、本開示の実施の形態に係る番組受信装置１０１では、音声判定部５０は、視聴テキスト情報に含まれるジャンル情報および検出キーワードに基づいて嗜好情報ＤＢ５４を更新することの可否を、ユーザに問い合わせる構成であるとしたが、これに限定するものではない。音声判定部５０は、嗜好情報ＤＢ５４を更新することの可否をユーザに問い合わせることなく、視聴テキスト情報に含まれるジャンル情報および検出キーワードに基づいて自動的に嗜好情報ＤＢ５４を更新する構成であってもよい。
【０１７０】
また、本開示の実施の形態に係る番組受信装置１０１では、録画予約部４６は、自動録画すべき番組として、並行して放送される複数の番組を選択してもよい。この場合、音声抽出部４９は、録画部４５によって並行して自動録画される各自動録画番組の音声情報をテキストデータに変換する。そして、音声判定部５０は、音声抽出部４９によって変換されたテキストデータ、および自己が取得した嗜好情報に基づいて、録画部４５によって並行して自動録画される各自動録画番組を評価する。
【０１７１】
また、本開示の実施の形態に係る番組受信装置１０１は、録画ＤＢ５１、番組情報ＤＢ５２、予約管理ＤＢ５３、嗜好情報ＤＢ５４、放送番組情報ＤＢ５５およびＨＤＤ１８１を備える構成であるとしたが、これに限定するものではない。録画ＤＢ５１、番組情報ＤＢ５２、予約管理ＤＢ５３、嗜好情報ＤＢ５４、放送番組情報ＤＢ５５およびＨＤＤ１８１の一部または全部が、番組受信装置１０１の外部たとえばサーバに設けられてもよい。
【０１７２】
また、本開示の実施の形態に係る番組受信装置１０１では、音声抽出部４９が、録画部４５が自動録画番組に対応する放送パケットをＨＤＤ１８１に保存する処理と並行して、上記自動録画番組の音声情報をテキストデータに変換し、変換したテキストデータを含む録画テキスト情報を音声判定部５０へ出力し、音声判定部５０が、テキストデータおよび嗜好情報に基づいて、自動録画中の自動録画番組を評価する構成であるとしたが、これに限定するものではない。
【０１７３】
本開示の実施の形態に係る番組受信装置１０１は、たとえば以下の構成であってもよい。すなわち、録画部４５は、自動録画が完了すると、自動録画が完了した旨を示す録画完了通知を音声抽出部４９へ出力する。音声抽出部４９は、録画部４５から録画完了通知を受けると、受けた録画完了通知が示す自動録画番組に対応する放送パケットをＨＤＤ１８１から取得するとともに、当該自動録画番組のジャンルを録画ＤＢ５１から取得する。そして、音声抽出部４９は、取得した放送パケットに含まれる音声データを復号化する処理などを行うことにより、自動録画番組の音声情報をテキストデータに変換し、変換したテキストデータを含む録画テキスト情報を音声判定部５０へ出力する。音声判定部５０は、テキストデータおよび嗜好情報に基づいて、自動録画完了後に、自動録画された自動録画番組を評価する。
【０１７４】
また、本開示の実施の形態に係る番組受信装置１０１では、消去部４４は、音声判定部５０の評価結果に従って自動録画番組をＨＤＤ１８１から自動で消去する構成であるとしたが、これに限定するものではない。番組受信装置１０１は、自動録画番組をＨＤＤ１８１から自動で消去することなく、ユーザの判断に従って自動録画番組をＨＤＤ１８１から消去する構成であってもよい。
【０１７５】
具体的には、たとえば、音声判定部５０は、自動録画番組の嗜好スコア値および当該自動録画番組を消去する旨を示すダイアログボックスを表示装置に表示する処理を行い、ユーザの消去意思を確認する。消去部４４は、ユーザの消去意思が肯定的である場合、当該自動録画番組をＨＤＤ１８１から消去する。
【０１７６】
また、本開示の実施の形態に係る番組受信装置１０１では、消去部４４は、音声判定部５０の評価結果に従って自動録画番組をＨＤＤ１８１から消去する構成であるとしたが、これに限定するものではない。消去部４４は、音声判定部５０の評価結果およびＨＤＤ１８１の容量制限に応じて、自動録画番組をＨＤＤ１８１から消去する構成であってもよい。
【０１７７】
具体的には、消去部４４は、音声判定部５０から消去指示を受けると、たとえばＨＤＤ１８１の記憶可能容量が所定値以下の場合に、受けた消去指示の示す自動録画番組に対応する放送パケットをＨＤＤ１８１から消去するとともに、当該自動録画番組に関する録画情報を録画ＤＢ５１から消去する。
【０１７８】
また、本開示の実施の形態に係る番組受信装置１０１では、音声判定部５０は、録画部４５が録画中である自動録画番組の評価内容をユーザへ通知する構成であるとしたが、これに限定するものではない。音声判定部５０は、当該評価内容をユーザへ通知しない構成であってもよい。
【０１７９】
また、本開示の実施の形態に係る番組受信装置１０１では、音声判定部５０は、視聴された番組のテキストデータに基づいて、嗜好情報を更新する構成であるとしたが、これに限定するものではない。音声判定部５０は、テキストデータに基づく嗜好情報の更新を行わない構成であってもよい。この場合、番組受信装置１０１は、たとえば、ユーザによる操作に従って嗜好情報を更新する構成であってもよい。
【０１８０】
以上のように、本開示の実施の形態に係る番組受信装置１０１では、音声判定部５０は、ユーザの嗜好に関する嗜好情報を取得する。録画予約部４６は、複数の番組に関する番組受信装置１０１が受信した情報に基づいて、１または複数の番組を選択する。録画部４５は、録画予約部４６によって選択された番組を録画する。音声抽出部４９は、録画部４５によって録画される番組である録画番組の音声情報をテキストデータに変換する。音声判定部５０は、音声抽出部４９によって変換されたテキストデータ、および取得した嗜好情報に基づいて、録画番組を評価する。
【０１８１】
このように、番組を事前に選択した上で録画しておき、録画中または録画後に、当該番組の実際の音声を用いて、ユーザの嗜好に基づいて当該番組を評価する構成により、ユーザの操作の手間を軽減しながら、精度の高い自動録画を実現することができる。
【０１８２】
したがって、本開示の実施の形態に係る番組受信装置１０１では、番組の録画に関する優れた機能を実現することができる。
【０１８３】
また、本開示の実施の形態に係る番組受信装置１０１では、音声判定部５０は、テキストデータを、嗜好情報に含まれる１または複数のワードと照合することにより録画番組のワードごとのスコアを算出し、算出した各スコアに基づいて録画番組を評価する。
【０１８４】
このような構成により、番組における各ワードの出現状況を総合的に判断したより正確な評価結果を得ることができる。
【０１８５】
また、本開示の実施の形態に係る番組受信装置１０１では、録画部４５は、録画番組を記憶媒体に保存する。消去部４４は、音声判定部５０の評価結果に従って録画番組を記憶媒体から消去する。
【０１８６】
このような構成により、記憶媒体の容量制限がある中で、ある程度の録画の無駄を許容しながら記憶容量を節約し、適切な番組を自動録画することができる。
【０１８７】
また、本開示の実施の形態に係る番組受信装置１０１では、音声判定部５０は、録画部４５が録画中である番組の評価内容を通知可能である。
【０１８８】
このような構成により、ユーザの嗜好に合った番組が放送中であることを当該ユーザが気付いていない状況において、ユーザに通知し、よりリアルタイムに近い視聴環境を提供することができる。
【０１８９】
また、本開示の実施の形態に係る番組受信装置１０１では、音声抽出部４９は、さらに、視聴された番組の音声情報をテキストデータに変換する。音声判定部５０は、視聴された番組のテキストデータに基づいて、嗜好情報を更新する。
【０１９０】
このような構成により、ユーザが実際に視聴した番組の音声を利用して、よりユーザに適合した嗜好情報を提供することができる。
【０１９１】
また、本開示の実施の形態に係る番組受信方法は、番組受信装置１０１における番組受信方法である。この番組受信方法では、まず、番組受信装置１０１が、ユーザの嗜好に関する嗜好情報を取得する。次に、番組受信装置１０１が、複数の番組に関する番組受信装置１０１が受信した情報に基づいて、１または複数の番組を選択する。次に、番組受信装置１０１が、選択した番組を録画する。次に、番組受信装置１０１が、録画する番組である録画番組の音声情報をテキストデータに変換する。次に、番組受信装置１０１が、変換したテキストデータ、および取得した嗜好情報に基づいて、録画番組を評価する。
【０１９２】
このように、番組を事前に選択した上で録画しておき、録画中または録画後に、当該番組の実際の音声を用いて、ユーザの嗜好に基づいて当該番組を評価する方法により、ユーザの操作の手間を軽減しながら、精度の高い自動録画を実現することができる。
【０１９３】
したがって、本開示の実施の形態に係る番組受信方法では、番組の録画に関する優れた機能を実現することができる。
【０１９４】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０１９５】
以上の説明は、以下に付記する特徴を含む。
［付記］
番組受信システムであって、
ユーザの嗜好に関する嗜好情報を取得する取得部と、
複数の番組に関する前記番組受信システムが受信した情報に基づいて、１または複数の前記番組を選択する選択部と、
前記選択部によって選択された前記番組を録画する録画部と、
前記録画部が前記番組を録画する処理と並行して、前記録画部によって録画される前記番組である録画番組の音声情報をテキストデータに変換する音声抽出部と、
前記録画部が前記番組を録画する処理と並行して、前記音声抽出部によって変換された前記テキストデータ、および前記取得部によって取得された前記嗜好情報に基づいて、前記録画番組を評価する番組評価部とを備える、番組受信システム。
【符号の説明】
【０１９６】
１１    受信部
１２    処理部
１３    記憶部
４１    リモコン信号受信部
４２    ＲＦ放送受信部
４３    ＩＰ放送受信部
４４    消去部
４５    録画部
４６    録画予約部
４７    放送視聴部
４８    録画再生部
４９    音声抽出部
５０    音声判定部
５１    録画ＤＢ
５２    番組情報ＤＢ
５３    予約管理ＤＢ
５４    嗜好情報ＤＢ
５５    放送番組情報ＤＢ
６１    リモコン操作部
１０１  番組受信装置
１６１  リモコン
１８１  ＨＤＤ
【図１】
2020170955.tif 000003
【図２】
2020170955.tif 000004
【図３】
2020170955.tif 000005
【図４】
2020170955.tif 000006
【図５】
2020170955.tif 000007
【図６】
2020170955.tif 000008
【図７】
2020170955.tif 000009
【図８】
2020170955.tif 000010
【図９】
2020170955.tif 000011
【図１０】
2020170955.tif 000012
【図１１】
2020170955.tif 000013
【図１２】
2020170955.tif 000014